(57)【要約】      （修正有）【課題】より効率的な洗浄作業の実施が可能な循環経路の洗浄装置を提供する。【解決手段】一端が水槽１１の吸入口１８に接続され、他端が水槽１１の送出口１７に接続され、吸入口１８と送出口１７を結ぶ経路の途中に濾過器１４を含む循環経路１９を洗浄するための洗浄装置１００であって、洗浄液を貯留するための貯留槽１０１と、貯留槽１０１から洗浄液を貯留槽１０１の外部に送出させるポンプ１０４と、一端が洗浄液内に配置され、他端が吸入口１８と送出口１７のうちの一方に接続され、ポンプ１０４の駆動により洗浄液を循環経路１９へ送出する第１管路１０２と、一端が吸入口１８と送出口１７のうちの残りの一方に接続され、他端が貯留槽１０１に配置され、循環経路１９を通過した洗浄液を貯留槽１０１に排出する第２管路１０３と、を含む。【選択図】図１
0003210322.tif 000002
【実用新案登録請求の範囲】
【請求項１】
一端が水槽の吸入口に接続され、他端が前記水槽の送出口に接続され、前記吸入口と前記送出口を結ぶ経路の途中に濾過器を含む循環経路を洗浄するための洗浄装置であって、
洗浄液を貯留するための貯留槽と、
前記貯留槽から前記洗浄液を前記貯留槽の外部に送出させるポンプと、
一端が前記洗浄液内に配置され、他端が前記吸入口と前記送出口のうちの一方に接続され、前記ポンプの駆動により前記洗浄液を前記循環経路へ送出する第１管路と、
一端が前記吸入口と前記送出口のうちの残りの一方に接続され、他端が前記貯留槽に配置され、前記循環経路を通過した洗浄液を前記貯留槽に排出する第２管路と、
を含む洗浄装置。
【請求項２】
前記第１管路に接続されるエア供給器をさらに含む、請求項１に記載の洗浄装置。
【請求項３】
前記第１管路に配置されるか、前記貯留槽に配置される超音波振動器をさらに含む、請求項１又は２に記載の洗浄装置。
【請求項４】
一端がすすぎ用洗浄水の供給器に接続され他端が前記第１管路に接続される、すすぎ用洗浄水を供給するための第３管路をさらに含む、請求項１〜３のいずれか一項に記載の洗浄装置。
【請求項５】
移動可能な、請求項１〜４のいずれか一項に記載の洗浄装置。
【請求項６】
前記貯留槽は前記水槽の内部に配置される、請求項１〜５のいずれか一項に記載の洗浄装置。
【請求項７】
前記水槽は浴槽であり、
前記循環経路は、加熱器と前記浴槽内の水又は湯を前記循環経路に循環させるための循環用ポンプと、をさらに含む、
請求項１〜６のいずれか一項に記載の洗浄装置。
【請求項８】
前記洗浄液は、過酸化水素系薬剤、塩素系薬剤、次亜塩素酸系薬剤、及び二酸化塩素系薬剤からなる群から選択される少なくとも一つの薬剤を含む、請求項１〜７のいずれか一項に記載の洗浄装置。
【請求項９】
前記洗浄液は過酸化水素系薬剤を含む、請求項８に記載の洗浄装置。
【考案の詳細な説明】
【技術分野】
【０００１】
本開示は、浴槽、プール、人工池などの水槽に貯水された水又は湯を循環させるための循環経路の洗浄のための洗浄装置に関する。
【背景技術】
【０００２】
従来より、例えば浴槽において、温泉水や水道水の使用量を少なくする目的で、浴槽の湯を濾過器に通して循環させることにより、浴槽内の湯を清潔に保つ循環式浴槽が知られていた。このような循環式浴槽では、浴槽の中の湯が人の入浴によって汚れ、この汚れた湯が浴槽から排出され循環経路内を通って循環すると、循環経路内にレジオネラ属菌等が増殖し、入浴者に感染して重大な事故を誘発させる不都合があった（特許文献１）。
【０００３】
特許文献１には、レジオネラ属菌等の増殖を防止するために、循環経路内に滅菌装置を接続し、そこから循環経路を循環する循環水に常に消毒剤を供給して循環経路内を消毒することが記載されているが、このような方法に加えて定期的な循環経路の洗浄作業の必要性が知られていた。
【０００４】
しかし、その洗浄作業を実施するには、一般的に湯水が張られた浴槽に所定の消毒液を添加して、その消毒液を含む湯水を循環経路内に循環させる。その後、浴槽内の消毒液が添加された湯水を全て排水し、次に再度きれいな湯水を浴槽に張って、すすぎのために再度循環経路内を循環させる。その後、再度その湯水を全て排水し、最後に入浴のために湯水を張る。したがって、この洗浄作業を行うには、最低でも２度の排水と、２度のお湯張りを行う必要があり、特に銭湯や温泉などの大型の浴槽の場合には、洗浄作業の長時間化と湯水の使用量の増大化が大きな問題となっていた。
【先行技術文献】
【特許文献】
【０００５】
【特許文献１】特開２００５−０００８５７号公報
【考案の概要】
【考案が解決しようとする課題】
【０００６】
そこで、上記のような技術を踏まえ、本開示では、様々な実施形態により、より効率的な洗浄作業の実施が可能な循環経路の洗浄装置を提供する。
【課題を解決するための手段】
【０００７】
本開示の一態様によれば、「一端が水槽の吸入口に接続され、他端が前記水槽の送出口に接続され、前記吸入口と前記送出口を結ぶ経路の途中に濾過器を含む循環経路を洗浄するための洗浄装置であって、洗浄液を貯留するための貯留槽と、前記貯留槽から前記洗浄液を前記貯留槽の外部に送出させるポンプと、一端が前記洗浄液内に配置され、他端が前記吸入口と前記送出口のうちの一方に接続され、前記ポンプの駆動により前記洗浄液を前記循環経路へ送出する第１管路と、一端が前記吸入口と前記送出口のうちの残りの一方に接続され、他端が前記貯留槽に配置され、前記循環経路を通過した洗浄液を前記貯留槽に排出する第２管路と、を含む洗浄装置」が提供される。
【考案の効果】
【０００８】
本開示の様々な実施形態によれば、より効率的な洗浄作業の実施が可能な循環経路の洗浄装置を提供することができる。
【０００９】
なお、上記効果は説明の便宜のための例示的なものであるにすぎず、限定的なものではない。上記効果に加えて、または上記効果に代えて、本開示中に記載されたいかなる効果や当業者であれば明らかな効果を奏することも可能である。
【図面の簡単な説明】
【００１０】
【図１】図１は、本開示の第１の実施形態に係る洗浄装置及び浴室の構成を示す図である。
【図２】図２は、本開示の第２の実施形態に係る洗浄装置及び浴室の構成を示す図である。
【図３】図３は、本開示の第３の実施形態に係る洗浄装置及び浴室の構成を示す図である。
【考案を実施するための形態】
【００１１】
＜本開示に係る洗浄装置の概要＞
本開示の様々な実施形態において用いられる洗浄装置は、浴槽、プール、人工池などの水槽に貯水された水又は湯を循環させるための循環経路の洗浄に用いられる。なお、水槽としては、浴槽、プール、人工池を例示しているものの、水槽に溜められた水又は湯を循環させる循環経路を有するものであればいずれでも好適に本開示に係る洗浄装置を適用することが可能である。
【００１２】
＜第１の実施形態＞
１．第１の実施形態に係る洗浄装置１００の構成
本実施形態は、温泉や銭湯などのような大型の浴槽１１を有する浴室１において用いられる洗浄装置１００について説明する。図１は、本開示の第１の実施形態に係る洗浄装置１００及び浴室１の構成を示す図である。図１を参照すると、浴室１は、水又は湯を張るための水槽として浴槽１１と、湯又は水を供給するための水栓１２と、一端が浴槽１１の吸入口１８に接続され他端が浴槽１１の送出口１７に接続され、浴槽１１に張られた湯又は水を循環させるための循環経路１９と、浴槽１１に張られた湯又は水を循環経路１９に吸入するための吸入口１８と、循環経路１９を通過した湯又は水を再び浴槽１１に送出するための送出口１７と、循環経路１９に吸入された湯又は水に含まれる毛髪などの混入物を除去するための集毛器１６と、循環経路１９を用いて湯又は水を循環させるための循環用ポンプ１５と、循環経路１９に吸入された湯又は水を濾過するための濾過器１４と、循環経路１９に吸入された湯又は水を再び適温に温めるための加熱器１３と、を含む。
【００１３】
なお、上記浴室１の構成は一例であり、本実施形態に係る洗浄装置１００を適用する場所に応じて、いくつかの構成要素を省略することも可能であるし、他の構成要素と置き換えることも可能である。
【００１４】
ここで、上記循環経路１９は、浴槽１１中の湯が人の入浴によって汚れ、この汚れた湯が浴槽１１から排出され循環経路１９内を通って循環すると、循環経路内にレジオネラ属菌等が増殖し得た。そこで、本実施形態では、洗浄装置１００を用いて循環経路１９の内部を洗浄する。
【００１５】
再び図１に戻って、本実施形態に係る洗浄装置１００について説明する。本実施形態に係る洗浄装置１００は、洗浄液を貯留するための貯留槽１０１と、その洗浄液を第１管路１０２内に引き込んで貯留槽１０１の外部に送出するためのポンプ１０４と、当該ポンプ１０４の駆動により第１管路１０２内に洗浄液を供給するための吸水口１０５と、循環経路１９とポンプ１０４とを接続して循環経路１９内に洗浄液を供給する送出するための第１管路１０２と、循環経路１９に送出口１７を介して接続され貯留槽１０１内に循環経路１９を循環してきた洗浄液を再び排出するための第２管路１０３と、当該第２管路１０３を通る洗浄液を再び貯留槽１０１内に排出するための排出口１０６と、水栓１２すなわちすすぎ用洗浄水の供給装置からすすぎ用洗浄水を第１管路１０２内に供給するための第３管路１０９と、加圧エアを発生させるエア供給器１０７と、エア供給器１０７と第１管路１０２とを接続する第４管路１０８と、を含む。
【００１６】
本実施形態において、洗浄装置１００は、吸入口１８、送出口１７、水栓１２等に各管路を常に接続させ、常設して利用することも可能であるが、必要に応じてその都度浴室１内に洗浄装置１００を移動させ、各管路にその都度接続して利用することも可能である。
【００１７】
また、上記洗浄装置１００の構成は一例であり、本実施形態に係る洗浄装置１００の適用場所に応じて、いくつかの構成要素を省略することも可能であるし、他の構成要素と置き換えることも可能である。
【００１８】
貯留槽１０１は、循環経路１９内に供給される洗浄液を貯留するためのものである。当該貯留槽１０１は、一例としては、浴槽１１内にその使用時に移動させて配置される。貯留槽１０１の容量は、ポンプ１０４、第１管路１０２、第２管路１０３、排出口１０６、吸水口１０５等を浸すのに十分な大きさであれば適宜調節することが可能である。一例としては、１０Ｌ〜２００Ｌ、好ましくは２０Ｌ〜１２０Ｌ、より好ましくは３０Ｌ〜６０Ｌの容量の貯留槽が用いられる。１０Ｌの容量があれば循環経路１９内の洗浄に用いる十分な量の洗浄液を貯留することが可能であるし、２００Ｌの容量以下であれば洗浄装置１００の小型化の観点で望ましい。
【００１９】
貯留槽１０１は、ポリエチレン、ポリプロピレン、ポリカーボネート等のプラスチック材料、ステンレス、トタン等の金属材料など、貯留する洗浄液の有効成分や持ち運びの観点から、所望の材料で形成することができる。
【００２０】
貯留槽１０１に貯留される洗浄液は、過酸化水素の複合体（炭酸ナトリウム過酸化水素複合物）等の過酸化水素系薬剤、塩素化イソシアヌル酸及びその塩（トリクロロイソシアヌル酸ナトリウム、トリクロロイソシアヌル酸カリウム、ジクロロイソシアヌル酸ナトリウム、ジクロロイソシアヌル酸カリウム等）等の塩素系薬剤、次亜塩素酸ナトリウム、次亜塩素酸カルシウム（さらし粉又は高度さらし粉等）等の次亜塩素酸系薬剤、及び二酸化塩素系薬剤からなる群から選択される少なくとも一つの薬剤を含む。
【００２１】
薬剤として過酸化水素系薬剤を用いる場合には、洗浄液中の過酸化水素濃度が０．１％〜２０．０％、好ましくは１．０％〜１０．０％、より好ましくは２．０％〜６．０％となるように、洗浄液を調製することが可能である。また、薬剤として塩素系又は次亜塩素酸系薬剤を用いる場合には、洗浄液中の遊離残留塩素が、０．０１ｍｇ／Ｌ〜２００．０ｍｇ／Ｌ、好ましくは０．１ｍｇ／Ｌ〜１００．０ｍｇ／Ｌ、より好ましくは０．２ｍｇ／Ｌ〜５０．０ｍｇ／Ｌとなるように、洗浄液を調製することが可能である。さらに、薬剤として二酸化塩素系薬剤を用いる場合には、洗浄液中の二酸化塩素濃度が、０．００１ｍｇ／Ｌ〜１００．０ｍｇ／Ｌ、好ましくは０．０１ｍｇ／Ｌ〜１０．０ｍｇ／Ｌ、より好ましくは０．１ｍｇ／Ｌ〜３．０ｍｇ／Ｌとなるように、洗浄液を調製することが可能である。
【００２２】
ポンプ１０４は、その吸水口１０５が洗浄液に浸かるように配置され、一端が接続された第１管路１０２、循環経路１９、及び第２管路１０３を経て貯留槽１０１の貯留された洗浄水を循環させるよう駆動される。
【００２３】
第１管路１０２は、一端１０２ａが貯留槽に配置され、他端１０２ｂが浴槽１１の吸入口１８に接続される。また、第１管路１０２の途中には、洗浄液を貯留槽１０１の外部へ送出するためのポンプ１０４が配置されている。また、第１管路１０２は、すすぎ用洗浄水の供給器である水栓１２に端部が接続された第３管路１０９を接続するための分岐１０２ｃ、及び加圧エアを発生させるためのエア供給器１０７に端部が接続された第４管路１０８を接続するための分岐１０２ｄを、それぞれ含む。
【００２４】
第３管路１０９は、一端がすすぎ用洗浄水の供給器である水栓１２に接続され他端が第１管路１０２の分岐１０２ｃに接続される。
【００２５】
第４管路は、一端がエア供給器１０７に接続され、他端が第１管路１０２の分岐１０２ｄに接続される。
【００２６】
なお、各管路には、所定の位置にバルブを備え、バルブの開閉によりその流量及び液体の送出のオン／オフが制御される。また、各管路の端部は、ねじ溝を利用した嵌合や、フランジをねじ留めする、ゴム栓やパッキンを併用するなどの方法によって、各口と接続される。なお、本実施形態においては、洗浄装置１００は、浴槽１１又は浴室１に対して常に接続されているのではなく、洗浄時のみ移動して接続することが好ましい。したがって、各管路と各口との接続は、各管路が各口に対して着脱自在に接続されていればいずれの方法を用いても良い。
【００２７】
エア供給器１０７は、一例としてはエアコンプレッサが用いられる。当該エア供給器１０７で加圧エアを発生させ、接続された第３管路１０９を介して第１管路１０２内に加圧エアを供給し、第１管路１０２内を通過する洗浄液中に細かなバブルを発生させる。
【００２８】
第２管路１０３は、一端１０３ａが浴槽１１の送出口１７に接続され、他端１０３ｂが貯留槽１０１に配置され、排出口１０６から循環した洗浄水を貯留槽１０１に排出するように構成される。
【００２９】
なお、本実施形態においては、第１管路１０２を通って吸入口１８から循環経路１９に洗浄液を供給し、循環経路１９内を通過した洗浄液を送出口１７から第２管路１０３に排出する場合について説明した。しかし、第１管路１０２を送出口１７に接続し、第２管路１０３を吸入口１８に接続し、送出口１７から循環経路１９に洗浄液を供給し、循環経路１９内を通過した洗浄液を吸入口１８から第２管路１０３に排出するようにしても良い。
【００３０】
２．第１の実施形態に係る洗浄方法
本実施形態において、洗浄装置１００は、以下の方法で循環経路１９の洗浄に用いられる。すなわち、本実施形態に係る洗浄方法は、一端が水槽の吸入口に接続され、他端が前記水槽の送出口に接続され、前記吸入口と前記送出口を結ぶ経路の途中に濾過器を含む循環経路を洗浄するための方法であって、水槽内又は水槽外に当該水槽を洗浄するための洗浄装置に含まれる貯留槽に洗浄液を貯留する段階と、一端が洗浄液内に配置され他端が当該吸入口と当該送出口のうちの一方に接続された第１管路からポンプの駆動により当該洗浄液を当該循環経路へ送出する段階と、一端が当該吸入口と当該送出口のうちの残りの一方に接続され他端が貯留槽に配置された第２管路から当該循環経路を通過した洗浄液を当該貯留槽に排出する段階と、を含む方法、である。
【００３１】
また、このような循環経路の洗浄方法、以下の水槽の洗浄方法のうちの一部として実施することが可能である。すなわち、本実施形態に係る水槽の洗浄方法は、水槽から使用済みの水又は湯を排出する段階と、水槽内または水槽外の水槽近傍に水槽の洗浄装置を配置する段階と、上記循環経路の洗浄方法を実施する段階と、すすぎ用洗浄水を第１管路に供給し循環経路内に残留した洗浄液をすすぐ段階と、を含む方法、である。
【００３２】
なお、本実施形態においては、上記循環経路の洗浄方法を実施する段階と、上記循環経路内をすすぐ段階は、所定回数繰り返して実施することも可能である。
【００３３】
以下に、本実施形態に係る水槽の洗浄方法、及び循環経路の洗浄方法を、具体的に説明する。まず、本実施形態において、浴槽１１の洗浄のために、使用済みの残り水又は湯が吸入口１８を介して外部に排出される（その管路は図示していない）。この際、浴槽１１から完全に残り水又は湯を排出する必要はなく、浴槽１１の外壁や底面等をブラッシングするのに利用する程度の量や、上記洗浄装置１００を浴槽１１内に配置するのに邪魔にならない程度の量を残すことも可能である。また、上記洗浄装置１００を浴槽１１の外部に配置する場合など必ずしも残り水又は湯を排出する必要はない場合もある。
【００３４】
次に、洗浄装置１００を浴槽１１内又は浴槽１１外であって浴室１内に移動させて配置する。そして、貯留槽１０１内に所定の洗浄液を貯留させる。次に、一端が洗浄液に浸かるように配置され、他端が吸入口１８に接続された第１管路１０２を介して、ポンプ１０４の駆動により洗浄液を循環経路１９内に送出する。次に、一端が送出口１７に接続され他端が貯留槽１０１に配置された第２管路１０３から循環経路１９を通過した洗浄液を貯留槽１０１に排出する。そして、循環経路１９内への洗浄液の送出と、循環経路１９から貯留槽１０１への洗浄液の排出を所定時間継続し、循環経路１９内の洗浄を実施する。なお、洗浄時間は、１０分〜１日、好ましくは１５分〜６時間、より好ましくは３０分〜２時間で実施される。
【００３５】
次に、すすぎ用洗浄水の供給器である水栓１２に接続された第３管路１０９を介して第１管路１０２内にすすぎ水を供給する。当該すすぎ水は、第１管路１０２を経て循環経路１９内を通過し、第２管路１０３から貯留槽１０１内に排出される。このすすぎ水の供給と排出を所定時間継続し、循環経路１９内に残留した洗浄液を完全にすすぐ。なお、すすぎ時間は、１分〜３時間、好ましくは２分〜１時間、より好ましくは５分〜３０分で実施される。
【００３６】
上記循環経路１９の洗浄とすすぎは、それぞれ１回〜１０回ずつ、好ましくは１回〜５回ずつ、より好ましくは１回〜３回ずつ繰り返して実施される。
【００３７】
なお、本実施形態においては、循環経路１９の洗浄時に、エア供給器１０７から加圧エアを第１管路１０２内に供給し、第１管路１０２内を流れる洗浄液に微小なバブルを発生させる。これによりバブルの破裂等により洗浄効果をより増強することが可能となる。
【００３８】
次に、循環経路１９の洗浄及びすすぎが終了すると、吸入口１８及び送出口１７にそれぞれ接続された第１管路１０２及び第２管路１０３を吸入口１８及び送出口１７から取り外し、洗浄装置１００を浴槽１１内又は浴室１内から移動させる。これにより本実施形態に係る浴室１の洗浄が終了する。
【００３９】
なお、本実施形態に係る洗浄方法では、第１管路１０２を通って吸入口１８から循環経路１９に洗浄液又はすすぎ水を送出し、循環経路１９内を通過した洗浄液を送出口１７から第２管路１０３に排出する場合について説明した。しかし、第１管路１０２を送出口１７に接続し、第２管路１０３を吸入口１８に接続し、送出口１７から循環経路１９に洗浄液を送出し、循環経路１９内を通過した洗浄液又はすすぎ水を吸入口１８から第２管路１０３に排出するようにしても良い。
【００４０】
従来は、循環経路の洗浄に際しては、浴槽に張られた湯水に洗浄剤を添加して、その湯水を循環経路内に循環させて洗浄した。そして洗浄が終了した後は、一旦浴槽の湯水を廃棄して、再度すすぎのために浴槽内にきれいな湯水を張って、すすぎ完了後に再度その湯水を廃棄していた。したがって、この洗浄及びすすぎを行い、再び浴槽を利用可能なように湯水を張るまでに、最低でも２度の排水とお湯張りを行う必要があった。しかし、本実施形態においては、循環経路１９の洗浄は貯留槽１０１に貯留した洗浄液を使用し、循環経路１９のすすぎは第３管路１０９を介して供給されたすすぎ水を利用する。したがって、浴槽の湯水の排水とお湯張りを一度ずつで実施することが可能である。また、従来は、洗浄剤を浴槽の湯水に添加していたので有効成分を所望の濃度にするために多量の洗浄剤を添加する必要があった。しかし、本実施形態においては、浴槽の容量よりも小さい所定の容量の貯留槽１０１内に洗浄液を用意するので、洗浄剤の使用量を削減することができる。
【００４１】
＜第２の実施形態＞
第２の実施形態に係る洗浄装置１００及び洗浄方法では、第１の実施形態に係る洗浄装置１００及び洗浄方法と同様に、浴槽１１内に配置されて実施される。以下、本実施形態に係る洗浄装置１００の具体的な構成及び洗浄方法の具体的な手順について説明するが、第１の実施形態と同様である点について、その詳細な説明は省略する。
【００４２】
図２は、本開示の第２の実施形態に係る洗浄装置１００及び浴室１の構成を示す図である。図２を参照すると、本実施形態に係る洗浄装置１００は、第１の実施形態に係る洗浄装置１００と比較して、超音波振動ユニット１２１を含む点において相違する。
【００４３】
本実施形態において、超音波振動ユニット１２１は、第１管路１０２中に配置され、一例としては、ポンプ１０４の後段に配置される。超音波振動ユニットは、洗浄液中に超音波を照射することで微細なバブルを発生させ、当該バブルの作用により洗浄液による殺菌効果をより高めることが可能となる。なお、超音波振動ユニットで発生させる超音波の周波数は、期待する洗浄効果に応じて適宜調整することが可能である。
【００４４】
また、循環経路１９の洗浄方法において、その洗浄時に第１管路１０２内に送出された洗浄液に超音波振動ユニット１２１によって超音波を照射し微細なバブルを発生させる段階を含む。これにより、当該バブルの作用により洗浄液による殺菌効果をより高めることが可能となる。
【００４５】
なお、本実施形態においては、超音波振動ユニット１２１とエア供給器１０７とを併用しているが、超音波振動ユニット１２１のみを用いてエア供給器１０７は省略することも可能である。
【００４６】
また、本実施形態においては、超音波振動ユニット１２１はポンプ１０４の後段の第１管路１０２中に配置しているが、貯留槽１０１に配置することも可能である。この場合、貯留槽１０１中の洗浄液に直接超音波を照射し、貯留槽１０１内で微細なバブルを発生させ、その微細なバブルを含む洗浄液を第１管路１０２中に送出することとなる。
【００４７】
以上、本実施形態においては、第１の実施形態と同様に、循環経路１９の洗浄は貯留槽１０１に貯留した洗浄液を使用し、循環経路１９のすすぎは第３管路１０９を介して供給されたすすぎ水を利用する。したがって、浴槽の湯水の排水とお湯張りを１度ずつで実施することが可能である。また、本実施形態においては、浴槽の容量よりも小さい所定の容量の貯留槽１０１内に洗浄液を用意するので、洗浄剤の使用量を削減することができる。
【００４８】
＜第３の実施形態＞
第３の実施形態に係る洗浄装置１００及び洗浄方法では、第１の実施形態に係る洗浄装置１００及び洗浄方法と同様に、浴槽１１内に配置されて実施される。以下、本実施形態に係る洗浄装置１００の具体的な構成及び洗浄方法の具体的な手順について説明するが、第１の実施形態と同様である点について、その詳細な説明は省略する。
【００４９】
図３は、本開示の第３の実施形態に係る洗浄装置及び浴室の構成を示す図である。図３を参照すると、本実施形態に係る洗浄装置１００は、第１の実施形態係る洗浄装置１００と比較して、浴槽１１が複数の吸入口１８ａ及び１８ｂを、また複数の送出口１７ａ及び１７ｂを有し、洗浄装置１００の第１管路１０２及び第２管路１０３もその数に応じて複数の管路に分岐している点において相違する。
【００５０】
具体的には、本実施形態に係る洗浄装置１００は、すすぎ用洗浄水の供給器である水栓１２を接続するための第３管路１０９が接続された分岐の後段（すなわち、他端側）において第１管路１０２がさらに分岐し、吸入口１８ａを介して循環経路１９に洗浄液を供給するための管路と、吸入口１８ｂを介して循環経路１９に洗浄液を供給するための管路とを備える。
【００５１】
また、循環経路１９は、加熱器１３の後段において分岐され送出口１７ａ及び１７ｂに接続される。したがって、本実施形態に係る洗浄装置１００の第２管路１０３は、送出口１７ａに接続される管路と、送出口１７ｂに接続される管路を備え、両管路から循環経路１９を通過した洗浄液を排出することが可能となる。
【００５２】
なお、本実施形態においても、第２の実施形態と同様に、超音波振動ユニット１２１を配置することが可能であるし、所望に応じて、エア供給器１０７を省略することも可能である。
【００５３】
以上、本実施形態においては、第１の実施形態と同様に、循環経路１９の洗浄は貯留槽１０１に貯留した洗浄液を使用し、循環経路１９のすすぎは第３管路１０９を介して供給されたすすぎ水を利用する。したがって、浴槽の湯水の排水とお湯張りを１度ずつで実施することが可能である。また、本実施形態においては、浴槽の容量よりも小さい所定の容量の貯留槽１０１内に洗浄液を用意するので、洗浄剤の使用量を削減することができる。
【００５４】
＜変形例＞
第１〜第３の実施形態では、超音波振動ユニット１２１やエア供給器１０７を洗浄液と併用したが、これらに代えて、あるいはこれらと組み合わせて銀イオン供給ユニットを用いることも可能である。一例としては、第１管路１０２のポンプの後段に銀イオン供給ユニットを配置する。銀イオンは殺菌効果を有するものとして知られており、例えば数１００ｐｐｂ程度の濃度で銀イオンを洗浄液に添加して用いることが可能である。
【００５５】
第１〜第３の実施形態では、浴槽１１内に洗浄装置１００の貯留槽１０１が配置される場合について説明したが、貯留槽１０１は浴室１内に配置することも可能である。また、第１〜第３の実施形態では、浴槽１１の循環経路１９の洗浄のために洗浄装置１００を用いたが、浴槽１１以外にも、プール、人工池などの水槽に溜められた水又は湯を循環させる循環経路の洗浄のために洗浄装置１００を用いても良い。この場合、プール、人工池などの水槽内、又は水槽近傍に洗浄装置１００を配置しても良い。
【符号の説明】
【００５６】
１  浴室
１１  浴槽
１００  洗浄装置
１０１  貯留槽
１０２  第１管路
１０３  第２管路
１０４  ポンプ
１０５  吸水口
１０６  排出口
１０７  エア供給器
１０８  第４管路
１０９  第３管路
【図１】
0003210322.tif 000003
【図２】
0003210322.tif 000004
【図３】
0003210322.tif 000005